(57)【要約】  圧入要素及び連結要素を備え、履帯の履帯部材を履帯の履帯ベルトに取り付けるための装置である。圧入要素は、貫通開口を有する本体を有し、圧入要素が履帯ベルト上に配置されたとき、履帯部材を履帯ベルトに連結するための連結要素は、貫通開口を通って係合する。装置は、圧入要素が、本体から突出する複数の保持要素を有し、保持要素が、履帯ベルト上に配置された状態で、履帯ベルトの複数の材料層を突き通るように構成され、材料層の材料を、具体的には突き通る方向に対して横方向に変位させる、ことを特徴とする。
2021524564.tif 000002
【特許請求の範囲】
【請求項１】
圧入要素（２）及び連結要素（１６）を備え、履帯（１９）の履帯部材（１５）を、前記履帯（１９）の履帯ベルト（１４）に取り付けるための装置（１，１３）であって、
前記圧入要素（２）は、貫通開口（１０）を有する本体（４）を有し、前記圧入要素（２）が前記履帯ベルト（１４）上に配置されたとき、前記履帯部材（１５）を前記履帯ベルト（１４）に連結するための前記連結要素（１６）は、前記貫通開口（１０）を通って係合し、
前記圧入要素（２）は、前記本体（４）から突出する複数の保持要素（５）を有し、前記保持要素（５）は、それらが前記履帯ベルト（１４）上に配置されたとき、前記履帯ベルト（１４）の複数の材料層（１７，１８）を突き通るように構成され、前記保持要素（５）は、前記材料層（１７，１８）の材料を、具体的には、突き通る方向に対して横方向に変位させる、
ことを特徴とする装置。
【請求項２】
先行する請求項の１つに記載の履帯（１９）の履帯部材（１５）を、前記履帯（１９）の履帯ベルト（１４）に取り付けるための装置（１，１３）であって、
前記保持要素（５）は、前記本体（４）の第１主面（８）から突出し、前記本体（４）は、封止部材（６）を有し、前記封止部材（６）は、前記本体（４）の開口（１０）を、ビーズ状に連続的に包囲し、それにより、前記本体（４）は、前記第１主面（８）上の前記開口（１０）周りの領域に隆起した構造を有する、ことを特徴とする装置。
【請求項３】
先行する請求項の１つに記載の履帯（１９）の履帯部材（１５）を、前記履帯（１９）の履帯ベルト（１４）に取り付けるための装置（１，１３）であって、
前記保持要素（５）は、前記本体（４）から先細状、及び／または、テーパ状に構成される、ことを特徴とする装置。
【請求項４】
先行する請求項の１つに記載の履帯（１９）の履帯部材（１５）を、前記履帯（１９）の履帯ベルト（１４）に取り付けるための装置（１，１３）であって、
前記保持要素（５）は、前記本体（４）上で互いに離間して配置され、前記保持要素（５）は、前記本体（４）の前記第１主面（８）から、前記本体（４）の前記開口（１０）周りに円弧状に突出して存在する、ことを特徴とする装置。
【請求項５】
先行する請求項の１つに記載の履帯（１９）の履帯部材（１５）を、前記履帯（１９）の履帯ベルト（１４）に取り付けるための装置（１，１３）であって、
前記保持要素（５）は、ピン状、針状、及び／または、円錐状に構成される、ことを特徴とする装置。
【請求項６】
先行する請求項の１つに記載の履帯（１９）の履帯部材（１５）を、前記履帯（１９）の履帯ベルト（１４）に取り付けるための装置（１，１３）であって、
前記保持要素（５）の一端は、テーパ状にされている、角が取られている、且つ／または、尖形にされている、ことを特徴とする装置。
【請求項７】
先行する請求項の１つに記載の履帯（１９）の履帯部材（１５）を、前記履帯（１９）の履帯ベルト（１４）に取り付けるための装置（１，１３）であって、
前記連結要素（１６）は、前記圧入要素（２）を、前記履帯（１９）の前記履帯ベルト（１４）及び前記履帯部材（１５）に連結するように構成される、ことを特徴とする装置。
【請求項８】
先行する請求項の１つに記載の履帯（１９）の履帯部材（１５）を、前記履帯（１９）の履帯ベルト（１４）に取り付けるための装置（１，１３）であって、
前記装置（１，１３）は、対向要素（３）を備え、前記装置（１，１３）が配置された状態において、前記対向要素（３）及び前記圧入要素（２）の本体（４）は、前記履帯ベルト（１４）によって離間する、ことを特徴とする装置。
【請求項９】
先行する請求項の１つに記載の履帯（１９）の履帯部材（１５）を、前記履帯（１９）の履帯ベルト（１４）に取り付けるための装置（１，１３）であって、
前記圧入要素（２）の前記本体（４）は、環状ディスクとして構成される、ことを特徴とする装置。
【請求項１０】
先行する請求項の１つに記載の履帯（１９）の履帯部材（１５）を、前記履帯（１９）の履帯ベルト（１４）に取り付けるための装置（１，１３）であって、
前記保持要素（５）は、前記本体（４）上に、互いに一定の距離で離間して配置される、ことを特徴とする装置。
【請求項１１】
先行する請求項の１つに記載の履帯（１９）の履帯部材（１５）を、前記履帯（１９）の履帯ベルト（１４）に取り付けるための装置（１，１３）であって、
前記保持要素（５）は、前記本体（４）上に、互いに離間して環状に配置される、ことを特徴とする装置。
【請求項１２】
先行する請求項の１つに記載の履帯（１９）の履帯部材（１５）を、前記履帯（１９）の履帯ベルト（１４）に取り付けるための装置（１，１３）であって、
前記保持要素（５）は、前記本体（４）上で、前記本体（４）の開口周りに配置される、ことを特徴とする装置。
【請求項１３】
先行する請求項の１つに記載の装置（１，１３）を備える履帯ベルト（１４）。
【請求項１４】
請求項１３に記載の履帯ベルト（１４）、及び／または、先行する請求項１〜１２の１つに記載の装置（１，１３）を備える履帯（１９）。
【請求項１５】
請求項１４に記載の履帯（１９）、請求項１３に記載の履帯ベルト、及び／または、請求項１〜１２の１つに記載の装置（１，１３）を備える履帯車両、具体的には、装軌車両。
【発明の詳細な説明】
【発明の詳細な説明】
【０００１】
本発明は、履帯の履帯部材を、履帯の履帯ベルトに取り付けるための、請求項１の特徴に係る装置に関し、並びに、履帯ベルト、及び／または、この種の装置を備える履帯に関する。
［従来技術］
履帯の履帯部材、例えば履帯ウェブ（Ｒａｕｐｅｎｓｔｅｇｓ）などを、履帯の履帯ベルトに取り付けるための装置は、当技術分野において周知である。
【０００２】
当技術分野において周知の装置は、支柱（Ｓｔｒｅｂｅ）及びネジを備え、履帯ベルトは、支柱と履帯ウェブとの間に配置され、履帯ベルトにはネジが当該履帯ベルトを通って螺合する複数の開口が存在し、それゆえに、ネジは支柱を履帯ウェブに連結し、履帯ベルトは、それにより、支柱と履帯ウェブとの間で固定される。この場合には、支柱及び履帯ウェブは、それらの長手方向の延在に沿って互いに平行に延在する。当技術分野において周知のさらなる装置は、例えばその開口内に、さらにスペーサスリーブを設ける。
【０００３】
これらの装置の欠点は、車両の運転中の履帯ベルトの動作が、開口を長孔に変形させるために、具体的には、履帯が、ゲレンデ車両（Ｐｉｓｔｅｎｆａｈｒｚｅｕｇ）にて用いられるとき、水または雪が履帯ベルトの開口、及び、履帯ベルトの層の間に浸透して氷の泡を形成し、その結果、履帯ベルトの層が分離されることにより履帯ベルトが破壊されることである。
［本発明の課題及び利点］
本発明によって取り上げられる課題は、履帯の履帯部材を、履帯の履帯ベルトに取り付けるための別の装置を提供することであり、具体的には、履帯ベルトの比較的長い耐用年数、または、配備時間を実現するように装置を改善することである。
【０００４】
この課題は請求項１の特徴によって解決される。
【０００５】
本発明の有利且つ機能的な実施形態は、従属項にて特定される。
【０００６】
本発明は、履帯の履帯部材を、圧入要素及び連結要素を用いて、履帯の履帯ベルトに取り付けるための装置に基づき、圧入要素は、貫通開口を有する板状の本体を備え、例えば、圧入要素が履帯ベルト上に配置されたとき、履帯部材を履帯ベルトに連結するための連結要素は、貫通開口を通って係合する。貫通開口は、例えば円筒状（ｚｙｌｉｎｄｅｒｆｏｒｍｉｇ）、例を挙げると円筒形（ｚｙｌｉｎｄｒｉｓｃｈ）の構造である。例えば、貫通開口は、本体内の孔（Ｂｏｈｒｕｎｇ）、及び／または、穴（Ｌｏｃｈｕｎｇ）として構成される。有利には、貫通開口は、装置の連結要素、例えば外形寸法、例を挙げると外径に合わせられる。貫通開口は、具体的には、残りの本体によって完全に包囲される。例えば、貫通開口は、孔、具体的には貫通孔の形態で本体上に存在する。
【０００７】
圧入要素の本体は、例えば、環状ディスクの形態をとる。本体は、例えば１ｍｍから１０ｍｍの間、例えば２ｍｍから５ｍｍの間、具体的には３ｍｍから５ｍｍの間の厚さを有する。本体の厚さは、例えば、１ｍｍ、１．５ｍｍ、２ｍｍ、２．５ｍｍ、３ｍｍ、３．２ｍｍ、３．３ｍｍ、３．４ｍｍ、３．５ｍｍ、４ｍｍ、４．５ｍｍ、または、５ｍｍであり、具体的には３．１ｍｍである。本体の外径は、例えば４０ｍｍから１００ｍｍの間、４０ｍｍから８０ｍｍの間、または、４０ｍｍから６０ｍｍの間である。外径は、例えば、４０ｍｍ、４５ｍｍ、５５ｍｍ、または、６０ｍｍであり、具体的には５０ｍｍである。本体の開口の直径は、例えば８ｍｍより大きく、例えば１０ｍｍより大きく、具体的には１２ｍｍより大きく、例えば１３ｍｍである。
【０００８】
装置は、有利には、履帯ベルトの履帯ベルト端を連結するように構成される。履帯の履帯部材は、例えば、履帯の履帯ウェブとして存在する。
【０００９】
履帯ベルトは、例えば、弾性基材、具体的にはエラストマ基材、例えばゴムから製造される。加速力及び制動力を、駆動輪からシャシ、具体的には履帯へ伝達するために、具体的には連続的に履帯ベルトの長手方向の延在に沿って形成される引張手段は、履帯ベルト、例えば、主軌道（Ｇｒｕｎｄｋｅｔｔｅ）のエラストマ材料内に埋め込まれる。引張手段は、例えば、弾性繊維及び／または金属繊維、例を挙げると鋼繊維製の布ストリップとして構成される。履帯ベルトは、有利には、複数の布ストリップ層を含む。布ストリップ層は、有利には、エラストマ材料によって互いに離間する。例えば、布ストリップ層は、エラストマ材料内に埋め込まれる。履帯ベルトは、２種以上の異なるエラストマ材料を含んでもよい。例えば、第１エラストマ材料は、履帯ベルトのスリーブを形成し、その中に、布ストリップ層とさらなるエラストマ材料とが存在し、例えば、その布ストリップ層は、その材料内に埋め込まれる。異なる布ストリップ層の布構造は、有利には、相殺するように、例えば、互いに交差して走るように履帯ベルトに配置される。
【００１０】
履帯は、例えば、駆動輪との係合し、且つ、トラッキング要素を有する履帯ベルトであり、このトラッキング要素は、装軌車両のシャシを、履帯ベルトの進行方向に走る軌道に誘導するように履帯ベルトの内側に設けられる。複数の手段、例えば取付構造が、有利には、履帯ベルト上に構成され、複数の手段のそれぞれは、履帯ウェブを、履帯ベルトの外側に、履帯ベルトの進行方向と交差するように取り付けるために設けられる。履帯ベルトの取付構造は、例えば、開口、例えば貫通開口、例えば貫通孔（Ｄｕｒｃｈｇａｎｇｓｂｏｈｒｕｎｇ）の形態で存在する。履帯は、平行に走る側軌道（Ｓｅｉｔｅｎｋｅｔｔｅ）と共に用いるために提供されることもまた考えられる。
【００１１】
本発明の焦点は、圧入要素が本体から突出する複数の保持要素を有することであると考えられるべきであり、保持要素は、それらが履帯ベルト上に配置されたとき、それらが履帯ベルトの複数の材料層を突き通るように構成され、つまり、保持要素は、材料層の材料を、具体的には突き通る方向に対して横方向に変位させる。このようにして、装置を介した履帯部材から履帯ベルトへの力の伝達は、逆もまた同様に改善され、比較的小さな力、例えばせん断力が、連結要素と、履帯ベルトの取付構造、例えば、開口、との間に作用することを意味し、その結果、開口の伸長、例えば、長孔の形成は、少なくとも遅れる。この場合において、この力は、外側から、例えば、履帯ベルトの履帯がそれを介して移動される地面から、または、例えば、履帯ベルトを通して、履帯部材、例えば履帯ウェブ上に作用する。
【００１２】
履帯ベルトの開口は、有利には、貫通開口として構成される。履帯ベルトの開口は、例えば、円筒形の構造である。履帯ベルトの開口は、例えば、履帯ベルトにおけるプレス工程によって、且つ／または、穿孔工程によって形成される。
【００１３】
連結要素は、有利には、装置が配置された状態にあるときに、履帯ベルト、具体的には履帯ベルトの開口を完全に貫通する。
【００１４】
保持要素が履帯ベルト上に配置されたとき、保持要素は、有利には、履帯ベルトの複数の材料層に係合する。具体的には、保持要素は、それらが履帯ベルト上に配置されたとき、履帯ベルトの複数の材料層に突き通される。具体的には、保持要素が履帯ベルト上に配置されたとき、保持要素が履帯ベルトの全ての材料層を突き通り、具体的には全ての材料層に係合することが有利であることが明らかにされてきた。
【００１５】
保持要素が履帯ベルト上に配置されたとき、保持要素が履帯ベルトの全ての材料層に突入すること、具体的には係合するけれども、履帯ベルトを完全には突き通らないこともまた有利である。このようにして、履帯ベルトの具体的には規定された圧迫、それによって、履帯ベルト、具体的には履帯ベルトの開口の改善された封止は、装置が配置された状態にあるときに、有利に達成されるであろう。
【００１６】
一例として、材料層は、布として、例えば布ストリップとして、具体的には金属布として構成される。一例として、保持要素は、保持要素が履帯ベルト上に配置されたとき、特定の材料層を切断せず、具体的には、保持要素は布層を切断しない。有利には、保持要素が履帯ベルト上に配置されたとき、保持要素は、布層、具体的には、全ての布層を切断しないか、または、分断しない。保持要素は、有利には、保持要素が履帯ベルト上に配置されたとき、保持要素が、布層の布の空き領域の間、例えば、布層の布構造に突き通り、具体的には突き通る方向に対して横方向に布を変位させ、移動させ、且つ／または、圧縮するけれども、有利には、布を分断、または、切断しないように構成される。このようにして、圧入要素は、履帯ベルト、具体的には、履帯ベルトの布層と相互に接続されるように、例えば、係合されて、且つ／または、懸架されて、連結される。保持要素は、好ましくは、配置された状態において、それらが履帯ベルトの弾性材料を突き通り、また、必要に応じて、弾性材料を切断するように構成される。
【００１７】
圧入要素の本体は、環状ディスクとして、例えば、スペーサディスクとして、且つ／または、ワッシャとして構成される。例えば、本体は、円形、楕円形、または、卵形の外形を有する。本体は、ストリップ状、または、支柱状の構造を有することもあり得る。例えば、本体は、角を有する、例えば、長方形、具体的には正方形の外形を有する。本体は、有利には、単一の貫通開口を有する。しかしながら、本体は、２つ、３つ、４つ以上の貫通開口を有することもあり得る。本体が、複数の貫通開口を有する場合、これらは、有利には、本体上で、互いに離間する。例えば、貫通開口は、本体の中心にある。
【００１８】
一例として、本体は、第１及び第２の主面を有し、主面は、互いに対向し、離間している。貫通開口は有利には、第１主面から第２主面へ延在する。例えば、それぞれの主面における貫通開口は、開口、及び／または、凹部を対応する主面内に有する。
【００１９】
圧入要素は、好ましくは、履帯ベルト上に配置された状態で、履帯ベルトと、履帯部材との間に構成される。一例として、履帯ベルト上に配置されたとき、圧入要素は、具体的には、履帯部材と直接接触する。しかしながら、圧入要素及び履帯部材は、例えば、履帯ベルトをそれらの間で包囲するように、互いに離間していることもあり得る。
【００２０】
装置は、有利には、履帯ベルト上に配置された状態において、履帯ベルトの開口に挿入されるスペーサスリーブを備える。一例として、連結要素は、装置が履帯ベルト上に配置されたとき、スペーサスリーブを貫通する。例えば、装置が配置された状態にあるとき、スペーサスリーブは、連結要素を包囲する。装置が履帯ベルト上に配置されたとき、スペーサスリーブは、有利には、具体的には、本体、具体的には本体の主面に直接接触する。例えば、装置が履帯ベルト上に配置されたとき、スペーサスリーブは、具体的には、履帯部材と直接接触する。このようにして、スペーサスリーブは、例えば、具体的には、履帯ベルトの厚さに適合するように、圧入要素の本体と履帯部材との間隔、具体的には本体の第１主面と履帯部材との間隔を規定する。スペーサスリーブは、プラスチック、及び／または、金属、例えばアルミニウム製もあり得る。
【００２１】
２、３、４、５、６、７、９、１０以上の保持要素、具体的には、８つの保持要素が圧入要素の本体上にあることが有利である。２つより多い、３つより多い、４つより多い、８つより多い、または、１０より多い、具体的には、５つより多い保持要素が本体上にあることが好ましい。
【００２２】
保持要素が、本体上で互いに離間して配置されることもまた有利である。全ての保持要素は、有利には、本体の第１主面上に存在し、この第１主面から突出する。全ての保持要素は、好ましくは、同じ方向に突出する。例えば、保持要素は、第１主面の延在面と垂直に、第１主面から突出する。保持要素、具体的には、全ての保持要素は、互いに異なる方向に、本体上で突出するように、例えば、本体の第１主面から突出するように配置されることもあり得る。保持要素、具体的には、全ての保持要素は、本体上で、球状に、または、円筒状に突出して存在することもあり得る。
【００２３】
保持要素は、好ましくは、本体上で互いに離間して配置され、保持要素は、本体の第１主面から、本体の開口周りに円弧状に突出して存在する。
【００２４】
有利には、保持要素は、一定の、具体的には、個別の距離で、互いに離間して配置される。例えば、保持要素は、本体上で、互いに離間して環状に配置される。例えば、保持要素は、本体上で、上記本体の開口周りに配置される。
【００２５】
保持要素が、本体から先細状、及び／または、テーパ状に構成されることが有利であることも明らかにされている。このようにして、取り付け、例えば、圧入要素の履帯ベルトへの圧入が、比較的容易となる。
【００２６】
本装置の圧入要素の有利な実施形態において、保持要素は、ピン状、針状、ピラミッド形状、及び／または、円錐状に構成される。
【００２７】
全ての保持要素は、有利には、類似、具体的には、同様または同一の構造である。しかしながら、保持要素、具体的には、全ての保持要素が互いに異なるように設計されることもあり得る。例えば、正確に２つ、または、正確に３つの異なる保持要素の実施形態が、具体的には、本体上に構成される。２つ以上の保持要素が、異なる長さで設計されることもあり得る。
【００２８】
さらに、保持要素の一端が、テーパ状にされる、角が取られる、且つ／または、尖形にされることが提案される。保持要素のテーパ状の端部は、有利には、本体から、具体的には、本体の主面から離間している。
【００２９】
保持要素は、例えば、第１主面から８ｍｍから１４ｍｍの間、例えば８ｍｍから１２ｍｍの間で突出する。本体及び保持要素を含む圧入要素の本体の第２主面から保持要素のテーパ状の端部までの全高は、例えば、１０ｍｍから１００ｍｍの間、例えば１０ｍｍから４０ｍｍの間、例えば１０ｍｍから３０ｍｍの間、例えば１０ｍｍから２０ｍｍの間、例えば１２ｍｍから１６ｍｍの間の範囲にある。圧入要素の全高は、例えば、１２ｍｍ、１２．５ｍｍ、１３ｍｍ、１４．５ｍｍ、または、１５ｍｍであり、具体的には１４ｍｍである。
【００３０】
圧入要素の本体への接続領域における円錐台状の保持要素の直径は、例えば、４ｍｍから８ｍｍ、具体的には、およそ６ｍｍの範囲である。
【００３１】
圧入要素の本体及び保持要素が、一体に構成されることがさらにあり得る。
【００３２】
例えば、圧入要素、具体的には、本体及び保持要素は、金属、例えばダイカスト、及び／または、プラスチックから形成される。圧入要素は、射出成型、及び／または、ダイカスト部品として存在することがあり得る。圧入要素は、鍛造されることもあり得る。
【００３３】
連結要素が、圧入要素を、履帯ベルト及び履帯部材と連結するように設計されることもまた有利である。連結要素は、例えば、ピン、ボルト、リベット、または、ネジとして構成される。連結要素は、ねじ込みピンとして存在することもあり得る。連結要素は、クランプ状、例えば、クランプの形態で構成されることもあり得る。連結要素は、有利には、履帯ベルトの端を圧入要素に連結する、且つ／または、圧入要素を履帯ベルト及び履帯の履帯部材に連結するように設計される。
【００３４】
本発明の有利な変形において、装置は対向要素を備え、装置が配置された状態において、対向要素と圧入要素の本体とは、履帯ベルトによって離間している。対向要素は、好ましくは、貫通開口、例えば孔を有し、履帯ベルト上に配置された状態において、連結要素が、貫通開口を通って係合する。連結要素と対向要素とは、互いに連結され、例えば、一体的に構成されることもあり得る。対向要素は、例えば、環状ディスクとして、且つ／または、ワッシャとして構成される。対向要素と、圧入要素の本体とは、同一の構造である。
【００３５】
例えば、対向要素は、円形、楕円形、または、卵形の外形を有する。対向要素はまた、ストリップ状、または、支柱状の構造を有することもあり得る。例えば、対向要素は、角を有する、例えば長方形、具体的には正方形の外形を有する。対向要素は、有利には、単一の、例えば貫通する開口を有する。しかしながら、対向要素は、３つ、４つ以上の開口を有することもあり得る。対向要素が複数の開口を有する場合、これらは、有利には、対向要素上で互いに離間して構成される。例えば、１つの開口、具体的には、その開口は、対向要素の中心にある。対向要素と圧入要素とは、好ましくは、具体的には、存在する開口の数に関して、互いに適合する。
【００３６】
対向要素は、有利には、外側の広がりを見ると、具体的には、履帯ベルト上に配置されたときの広がりと同方向において、圧入要素の本体の外形寸法より大きい構造になっている。環状ディスク状の対向要素は、有利には、圧入要素の本体の外径よりも大きい外径を有する。環状ディスク状の対向要素は、例えば５０ｍｍから８０ｍｍの間、例えば、およそ５７ｍｍの外径を有する。有利には、対向要素の厚さは、圧入要素の本体の厚さと比較して同一か大きい。一例として、対向要素の厚さは、２ｍｍから１０ｍｍの間、例えば３ｍｍから８ｍｍの間の範囲である。対向要素の厚さは、例えば、２ｍｍ、３ｍｍ、４ｍｍ、４．５ｍｍ、５．５ｍｍ、６ｍｍ、６．５ｍｍ、７ｍｍ、８ｍｍまたは１０ｍｍであり、具体的には５ｍｍである。
【００３７】
本体が、位置決め部材を有し、それにより、本体が履帯ベルト上に配置された状態で、履帯部材に対して位置決めされうることもまた有利である。このようにして、装置の組み立てが容易にされる。
【００３８】
本体は、有利には、位置決め部材によって、履帯の履帯部材に、具体的には、直にまたは直接、結合される。本体は、好ましくは、履帯ベルト上に配置された状態で、具体的には、履帯部材上の位置決め部材によって、または、その逆によって位置決めされうる。
【００３９】
位置決め部は、例えば、凹部の形態で、切り欠きの形態で、突起の形態で、ピンの形態で、且つ／または、ボルトの形態で構成される。
【００４０】
例えば、本体は、位置決め部材によって履帯ベルト上に配置された状態で履帯部材に対してロック可能に構成される。位置決め部材は、例えば、ボルトとして、ピンとして、且つ／または、止まり穴として構成される。位置決め部材は、有利には、本体の第２主面上に構成される。例えば、本体は、位置決め部剤が用いられうる、例えば、挿入されうる、且つ／または、圧入されうる、切り欠き、及び／または、凹部を有する。このようにして、位置決め部材と基部との間の改善された圧力嵌めが達成されうる。さらに、圧入要素が、２つ、３つ以上の位置決め部材を有することもあり得る。例えば、位置決め部材は、互いに離間している。このようにして、配置された状態において圧入要素が履帯部材に対して回転することが回避される。
【００４１】
本発明の有利な実施形態は、上述した変形のうちの１つによる装置を備える履帯ベルトである。
【００４２】
圧入要素の保持要素の長さが、保持要素が配置された状態で、履帯ベルトの厚さ方向から見て、履帯ベルトを貫通しないように、履帯ベルトの厚さに対して適合されることは、有利であることがさらに明らかにされている。しかしながら、保持要素は、例えば、それらが配置された状態で、具体的には、履帯ベルトの厚さ方向から見て、履帯ベルトを完全に突き通おるように存在することもあり得る。保持要素の長さは、例えば、履帯ベルトの厚さに対応する。また、保持要素の長さは、履帯ベルトの厚さよりも大きいこともあり得る。それにより、保持要素のテーパ状の端部は、圧入要素が履帯ベルト上に配置された状態で、履帯ベルトの外皮の外側から突出する。
【００４３】
例えば、保持要素の長さは、第１主面の延在面に対して垂直な方向における、第１主面から、第１主面から離間した保持要素の端部までの保持要素の延出が、履帯ベルトの厚さより小さいか、または、等しくなるように構成される。履帯ベルトは、有利には、長さ、幅、及び、厚さに沿って伸長する。履帯ベルトの長さは、長手方向の延在、及び／または、履帯ベルトの進行方向に見られる。履帯ベルトの幅は、履帯ベルトの進行方向に対して垂直、且つ、履帯ベルト上に配置される履帯部材、例えば、履帯ウェブの長手方向の延在方向に見られうる。
【００４４】
有利な実施形態において、本体は、第１主面上の貫通開口周りの領域に隆起する構造を有する。例えば、本体は、具体的には履帯ベルト上に配置された状態で、履帯ベルトの開口を封止するために、例えば、ビーズの形態の封止部材を有する。例えば、第１主面上の貫通開口の開口領域は、封止部材によって、例えば、ビーズ状に連続的に包囲される。封止部材、例えば、ビーズは、配置された状態において、履帯ベルトの開口、例えば、具体的には、履帯ベルト、例えば、履帯ベルトの弾性材料と係合する。このようにして、履帯ベルト上で圧入要素が調整されうる。封止部材、例えばビーズは、有利には、履帯ベルト上に配置された状態で、履帯ベルトの開口を閉鎖し、それにより、比較的少ない水または水分しか、外部から履帯ベルトの開口に浸透できない。さらに、同等の封止部材が、対向要素の開口周りに構成されることが考えられ、それにより、履帯ベルトの開口は、装置が配置された状態で、両側から封止される。
【００４５】
装置の有利な実施形態において、保持要素は、本体の第１主面から突出し、本体は、封止部材を有し、封止部材は、本体の開口をビーズ状に連続的に包囲し、それにより、本体は、第１主面上の開口周りの領域に、隆起した構造を有する。
【００４６】
本発明のさらに別の変形は、上述した変形の１つに記載された履帯ベルト、及び／または、装置、を備える履帯である。
【００４７】
本発明の別の実施形態は、履帯車両（Ｒａｕｐｅｎｆａｈｒｚｅｕｇ）、具体的には、上述の変形の１つによる、履帯ベルトを備える、且つ／または、装置を備える、履帯を備える装軌車両（Ｋｅｔｔｅｎｆａｈｒｚｅｕｇ）である。
【００４８】
履帯または装軌車両のカテゴリは、具体的には、例えば、ゲレンデ車両（Ｐｉｓｔｅｎｆａｈｒｚｅｕｇｅ）、クロスカントリースキートトレイル車両（Ｌｏｉｐｅｎｐｒａｐａｒａｔｉｏｎｓｆａｈｒｚｅｕｇｅ）、及び／または、圧雪車（Ｐｉｓｔｅｎｒａｕｐｅｎ）などの雪上車（Ｓｃｈｎｅｅｆａｈｒｚｅｕｇｅ）を含む。
［例示的な実施形態の詳細］
複数の例示的な実施形態が、さらなる詳細及び利点を示す以下の概略図を用いて、より詳細に説明される。
【図面の簡単な説明】
【００４９】
【図１】本発明による装置の側面図を示す。
【図２】装置のさらなる変形の側面上方から斜めに見た斜視図を示す。
【図３】図２による装置の圧入要素の側面下方から斜めに見た斜視図を示す。
【図４】履帯ベルト上に配置された図２による装置の履帯ベルトを通る断面図を示す。
【図５】履帯ベルト上に配置された図２による装置の斜視図を示す。
【発明を実施するための形態】
【００５０】
図１は、圧入要素２及び対向要素３を備える本発明による装置１の第１の変形を示す。
【００５１】
透明性のために、同一の参照番号が、装置の実施形態、具体的には圧入要素の異なる実施形態に対して以下で用いられる。以下に説明される個々の変形が、有利には、それとは異なるさらなる変形と柔軟に結び付けられうる。
【００５２】
例えば、対向要素３は、例えば中心に貫通孔が配置されたワッシャとして構成される。圧入要素２は、本体４、保持要素５、及び封止部材６を有する。例えば、本体は、さらに、位置決め部材７を有する。
【００５３】
本体４は、有利には、ディスク状、または、板状に構成され、本体４は、互いに対向し、互いに離間している第１主面８、及び、第２主面９を有する。第１及び第２主面８，９は、有利には、本体４の主延在面を形成する。本体４は、さらに、貫通開口１０を有する。第２主面９において、例えば、位置決め部材７が、第２主面９から突出する。
【００５４】
保持要素５は、本体４の第１主面８から突出する。保持要素５は、例えば、円錐状、または、円錐台状の構造を有する。保持要素５は、例えば、本体４の第１主面上で、円弧に沿って互いに離間している。円弧は、例えば対称軸、例を挙げると本体４の回転軸、と一致する円の中心を有する。
【００５５】
封止部材６は、有利には、ビーズ状の構造である。封止部材６は、第１主面８上で本体の開口１０の縁を、完全に環状に包囲する。封止部材６は、第１主面８の主延在面から隆起する。封止部材６の内側領域１１は、例えばスリーブ状、例を挙げると中空円筒状の構造を有する。例えば、封止部材６の内側領域１１は、本体４の開口１０の一部を形成する。中空円筒状の封止部材６の壁厚は、例えば１ｍｍから５ｍｍの間、例を挙げると２ｍｍである。第１主面８の主延在面への封止部材６の内側領域１１の移行部１２は、例えば丸みが付けられる。このようにして、装置１が履帯上に配置されたとき、履帯ベルトへの装置１の当接、及び、それによって履帯ベルトへの水の浸透を回避するための封止が改善される。
【００５６】
圧入要素２のさらなる変形を備えるさらなる装置１３は、図２、３に描写される。
【００５７】
図４は、履帯１９を示す。履帯１９において、装置１３は履帯ベルト１４上に配置された状態で存在し、この装置によって、履帯ウェブ１５の形態の履帯部材は、履帯ベルト１４に取り付けられる。この場合において、圧入要素２は、ネジ１６の形態の連結要素によって、履帯ウェブ１５に連結される。図４に示される履帯ウェブ１５の断面には、履帯ベルト１４の複数の布層１７が存在し、これらは、履帯ベルト１４の弾性材料１８内に埋め込まれている。
【００５８】
保持要素５は、有利には、圧入要素２が履帯ベルト１４上に配置された状態で、保持要素５が布層１７の布構造に貫入するように構成され、それゆえに、保持要素５は布構造に貫入し、有利には、この場合における貫入方向Ｅに対して横方向に布層の布構造を圧縮または変位させる。このようにして、布層の切断が好ましくは回避され、その結果として、履帯ベルト１４の弱化が有利に抑制される。圧入要素２の履帯ベルト１４への比較的強い固定もまた、それによりもたらされる。
【００５９】
図５に描かれるように、履帯部材（図５には図示なし）を履帯ベルト１４に取り付けるために、複数、具体的には、３つの装置１３が、履帯ベルト１４上に有利には配置される。
【符号の説明】
【００６０】
１…装置、２…圧入要素、３…対向要素、４…本体、５…保持要素、６…封止部材、７…位置決め部材、８…主面、９…主面、１０…開口、１１…領域、１２…移行部、１３…装置、１４…履帯ベルト、１５…履帯ウェブ、１６…ネジ、１７…布層、１８…材料、１９…履帯
【図１】
2021524564.tif 000003
【図２】
2021524564.tif 000004
【図３】
2021524564.tif 000005
【図４】
2021524564.tif 000006
【図５】
2021524564.tif 000007
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
圧入要素（２）及び連結要素（１６）を備え、履帯（１９）の履帯部材（１５）を、前記履帯（１９）の履帯ベルト（１４）に取り付けるための装置（１，１３）であって、
前記圧入要素（２）は、貫通開口（１０）を有する本体（４）を有し、前記圧入要素（２）が前記履帯ベルト（１４）上に配置されたとき、前記履帯部材（１５）を前記履帯ベルト（１４）に連結するための前記連結要素（１６）は、前記貫通開口（１０）を通って係合し、
前記圧入要素（２）は、前記本体（４）から突出する４つより多くの保持要素（５）を有し、前記保持要素（５）は、それらが前記履帯ベルト（１４）上に配置されたとき、前記履帯ベルト（１４）の複数の材料層（１７，１８）を突き通るように構成され、前記保持要素（５）は、前記材料層（１７，１８）の材料を、具体的には、突き通る方向に対して横方向に変位させ、前記保持要素（５）は、前記本体（４）の第１主面（８）から突出し、前記本体（４）は、封止部材（６）を有し、前記封止部材（６）は、前記本体（４）の前記開口（１０）を、ビーズ状に連続的に包囲し、それにより、前記本体（４）は、前記第１主面（８）上の前記開口（１０）周りの領域に隆起した構造を有し、配置された状態において、前記封止部材（６）は、前記履帯ベルト（１４）の開口（１０）、及び、前記履帯ベルト（１４）の弾性材料と係合する、
ことを特徴とする装置。
【請求項２】
先行する請求項の１つに記載の履帯（１９）の履帯部材（１５）を、前記履帯（１９）の履帯ベルト（１４）に取り付けるための装置（１，１３）であって、
５つより多い前記保持要素（５）、６つより多い前記保持要素（５）、７つより多い前記保持要素（５）、または、８つより多い前記保持要素（５）が存在する、ことを特徴とする装置。
【請求項３】
先行する請求項の１つに記載の履帯（１９）の履帯部材（１５）を、前記履帯（１９）の履帯ベルト（１４）に取り付けるための装置（１，１３）であって、
前記封止部材（６）の内側領域（１１）は、前記本体（４）の前記開口（１０）の一部を形成し、前記内側領域（１１）の前記第１主面（８）の主延在面への移行部（１２）は、丸みが付けられている、ことを特徴とする装置。
【請求項４】
先行する請求項の１つに記載の履帯（１９）の履帯部材（１５）を、前記履帯（１９）の履帯ベルト（１４）に取り付けるための装置（１，１３）であって、
前記保持要素（５）は、前記本体（４）から先細状、及び／または、テーパ状に構成される、ことを特徴とする装置。
【請求項５】
先行する請求項の１つに記載の履帯（１９）の履帯部材（１５）を、前記履帯（１９）の履帯ベルト（１４）に取り付けるための装置（１，１３）であって、
前記保持要素（５）は、前記本体（４）上で互いに離間して配置され、前記保持要素（５）は、前記本体（４）の前記第１主面（８）から、前記本体（４）の前記開口（１０）周りに円弧状に突出して存在する、ことを特徴とする装置。
【請求項６】
先行する請求項の１つに記載の履帯（１９）の履帯部材（１５）を、前記履帯（１９）の履帯ベルト（１４）に取り付けるための装置（１，１３）であって、
前記保持要素（５）は、ピン状、針状、及び／または、円錐状に構成される、ことを特徴とする装置。
【請求項７】
先行する請求項の１つに記載の履帯（１９）の履帯部材（１５）を、前記履帯（１９）の履帯ベルト（１４）に取り付けるための装置（１，１３）であって、
前記保持要素（５）の一端は、テーパ状にされている、角が取られている、且つ／または、尖形にされている、ことを特徴とする装置。
【請求項８】
先行する請求項の１つに記載の履帯（１９）の履帯部材（１５）を、前記履帯（１９）の履帯ベルト（１４）に取り付けるための装置（１，１３）であって、
前記装置（１，１３）は、対向要素（３）を備え、前記装置（１，１３）が配置された状態において、前記対向要素（３）及び前記圧入要素（２）の前記本体（４）は、前記履帯ベルト（１４）によって離間する、ことを特徴とする装置。
【請求項９】
先行する請求項の１つに記載の履帯（１９）の履帯部材（１５）を、前記履帯（１９）の履帯ベルト（１４）に取り付けるための装置（１，１３）であって、
前記圧入要素（２）の前記本体（４）は、環状ディスクとして構成される、ことを特徴とする装置。
【請求項１０】
先行する請求項の１つに記載の履帯（１９）の履帯部材（１５）を、前記履帯（１９）の履帯ベルト（１４）に取り付けるための装置（１，１３）であって、
前記保持要素（５）は、前記本体（４）上に、互いに一定の距離で離間して配置される、ことを特徴とする装置。
【請求項１１】
先行する請求項の１つに記載の履帯（１９）の履帯部材（１５）を、前記履帯（１９）の履帯ベルト（１４）に取り付けるための装置（１，１３）であって、
前記保持要素（５）は、前記本体（４）上に、互いに離間して環状に配置される、ことを特徴とする装置。
【請求項１２】
先行する請求項の１つに記載の履帯（１９）の履帯部材（１５）を、前記履帯（１９）の履帯ベルト（１４）に取り付けるための装置（１，１３）であって、
前記保持要素（５）は、前記本体（４）上で、前記本体（４）の開口周りに配置される、ことを特徴とする装置。
【請求項１３】
先行する請求項の１つに記載の装置（１，１３）を備える履帯ベルト（１４）。
【請求項１４】
請求項１３に記載の履帯ベルト（１４）、または、先行する請求項１〜１２の１つに記載の装置（１，１３）を備える履帯（１９）。
【請求項１５】
請求項１４に記載の履帯（１９）、請求項１３に記載の履帯ベルト、または、請求項１〜１２の１つに記載の装置（１，１３）を備える履帯車両、具体的には、装軌車両。
【手続補正書】
【提出日】令和3年2月2日(2021.2.2)
【手続補正１】
【補正対象書類名】特許請求の範囲
【補正対象項目名】全文
【補正方法】変更
【補正の内容】
【特許請求の範囲】
【請求項１】
圧入要素（２）及び連結要素（１６）を備え、履帯（１９）の履帯部材（１５）を、前記履帯（１９）の履帯ベルト（１４）に取り付けるための装置（１，１３）であって、
前記圧入要素（２）は、貫通開口（１０）を有する本体（４）を有し、前記圧入要素（２）が前記履帯ベルト（１４）上に配置されたとき、前記履帯部材（１５）を前記履帯ベルト（１４）に連結するための前記連結要素（１６）は、前記貫通開口（１０）を通って係合し、
前記圧入要素（２）は、前記本体（４）から突出する４つより多くの保持要素（５）を有し、前記保持要素（５）は、それらが前記履帯ベルト（１４）上に配置されたとき、前記履帯ベルト（１４）の複数の材料層（１７，１８）を突き通るように構成され、前記保持要素（５）は、前記材料層（１７，１８）の材料を変位させ、前記保持要素（５）は、前記本体（４）の第１主面（８）から突出し、前記本体（４）は、封止部材（６）を有し、前記封止部材（６）は、前記本体（４）の前記開口（１０）を、ビーズ状に連続的に包囲し、それにより、前記本体（４）は、前記第１主面（８）上の前記開口（１０）周りの領域に隆起した構造を有し、配置された状態において、前記封止部材（６）は、前記履帯ベルト（１４）の開口（１０）、及び、前記履帯ベルト（１４）の弾性材料と係合する、
ことを特徴とする装置。
【請求項２】
請求項１に記載の履帯（１９）の履帯部材（１５）を、前記履帯（１９）の履帯ベルト（１４）に取り付けるための装置（１，１３）であって、
５つより多い前記保持要素（５）、６つより多い前記保持要素（５）、７つより多い前記保持要素（５）、または、８つより多い前記保持要素（５）が存在する、ことを特徴とする装置。
【請求項３】
請求項１又は２に記載の履帯（１９）の履帯部材（１５）を、前記履帯（１９）の履帯ベルト（１４）に取り付けるための装置（１，１３）であって、
前記封止部材（６）の内側領域（１１）は、前記本体（４）の前記開口（１０）の一部を形成し、前記内側領域（１１）の前記第１主面（８）の主延在面への移行部（１２）は、丸みが付けられている、ことを特徴とする装置。
【請求項４】
請求項１〜３のいずれか１つに記載の履帯（１９）の履帯部材（１５）を、前記履帯（１９）の履帯ベルト（１４）に取り付けるための装置（１，１３）であって、
前記保持要素（５）は、前記本体（４）から先細状、及び／または、テーパ状に構成される、ことを特徴とする装置。
【請求項５】
請求項１〜４のいずれか１つに記載の履帯（１９）の履帯部材（１５）を、前記履帯（１９）の履帯ベルト（１４）に取り付けるための装置（１，１３）であって、
前記保持要素（５）は、前記本体（４）上で互いに離間して配置され、前記保持要素（５）は、前記本体（４）の前記第１主面（８）から、前記本体（４）の前記開口（１０）周りに円弧状に突出して存在する、ことを特徴とする装置。
【請求項６】
請求項１〜５のいずれか１つに記載の履帯（１９）の履帯部材（１５）を、前記履帯（１９）の履帯ベルト（１４）に取り付けるための装置（１，１３）であって、
前記保持要素（５）は、ピン状、針状、及び／または、円錐状に構成される、ことを特徴とする装置。
【請求項７】
請求項１〜６のいずれか１つに記載の履帯（１９）の履帯部材（１５）を、前記履帯（１９）の履帯ベルト（１４）に取り付けるための装置（１，１３）であって、
前記保持要素（５）の一端は、テーパ状にされている、角が取られている、且つ／または、尖形にされている、ことを特徴とする装置。
【請求項８】
請求項１〜７のいずれか１つに記載の履帯（１９）の履帯部材（１５）を、前記履帯（１９）の履帯ベルト（１４）に取り付けるための装置（１，１３）であって、
前記装置（１，１３）は、対向要素（３）を備え、前記装置（１，１３）が配置された状態において、前記対向要素（３）及び前記圧入要素（２）の前記本体（４）は、前記履帯ベルト（１４）によって離間する、ことを特徴とする装置。
【請求項９】
請求項１〜８のいずれか１つに記載の履帯（１９）の履帯部材（１５）を、前記履帯（１９）の履帯ベルト（１４）に取り付けるための装置（１，１３）であって、
前記圧入要素（２）の前記本体（４）は、環状ディスクとして構成される、ことを特徴とする装置。
【請求項１０】
請求項１〜９のいずれか１つに記載の履帯（１９）の履帯部材（１５）を、前記履帯（１９）の履帯ベルト（１４）に取り付けるための装置（１，１３）であって、
前記保持要素（５）は、前記本体（４）上に、互いに一定の距離で離間して配置される、ことを特徴とする装置。
【請求項１１】
請求項１〜１０のいずれか１つに記載の履帯（１９）の履帯部材（１５）を、前記履帯（１９）の履帯ベルト（１４）に取り付けるための装置（１，１３）であって、
前記保持要素（５）は、前記本体（４）上に、互いに離間して環状に配置される、ことを特徴とする装置。
【請求項１２】
請求項１〜１１のいずれか１つに記載の履帯（１９）の履帯部材（１５）を、前記履帯（１９）の履帯ベルト（１４）に取り付けるための装置（１，１３）であって、
前記保持要素（５）は、前記本体（４）上で、前記本体（４）の開口周りに配置される、ことを特徴とする装置。
【請求項１３】
請求項１〜１２のいずれか１つに記載の装置（１，１３）を備える履帯ベルト（１４）。
【請求項１４】
請求項１３に記載の履帯ベルト（１４）、または、請求項１〜１２の１つに記載の装置（１，１３）を備える履帯（１９）。
【請求項１５】
請求項１４に記載の履帯（１９）、請求項１３に記載の履帯ベルト、または、請求項１〜１２の１つに記載の装置（１，１３）を備える履帯車両。
【請求項１６】
前記履帯車両は、装軌車両である、請求項１５に記載の履帯車両。
【国際調査報告】
2021524564.tif 000008
2021524564.tif 000009
2021524564.tif 000010
2021524564.tif 000011